(57)【要約】【課題】  両軸受リールのドラグ機構において、カム部材の着脱を容易に行えるようにする。【解決手段】  ドラグ機構６は、ドラグ操作部材２と、ドラグ操作部材２の内周部に設けられた第１カム部材２１と、第１カム部材２１に接触して配置された第２カム部材２２と、第２カム部材２２に相対回転可能に装着されスプール軸５を外方に引っ張るドラグ調整部材２７と、ドラグ調整部材２７を第２カム部材２２に対して軸方向に抜け止めする抜け止め部材２３と、スプール４を軸方向内方に付勢する第１付勢部材及び第２付勢部材２４ｂと、スプール４の軸方向外方に固定された第１制動部材２５と、第１制動部材２５が接触可能に配置された第２制動部材２６とを有している。【選択図】      図３
2005318864.tif 000002
【特許請求の範囲】
【請求項１】
両軸受リールのリール本体に軸方向移動可能かつ相対回転不能に支持されたスプール軸に軸方向移動不能かつ相対回転可能に装着されたスプールの糸繰り出し方向への回転に加えられる制動力を可変とする両軸受リールのドラグ機構であって、
前記リール本体に揺動自在に装着されたドラグ操作部材と、
前記ドラグ操作部材の内周部に設けられた第１カム部材と、
前記第１カム部材に接触可能な傾斜面を有する傾斜カムであって、前記第１カム部材の揺動に応じて軸方向に移動可能かつ前記スプール軸に対して回転不能な第２カム部材と、
前記第２カム部材に相対回転可能に装着され、前記リール本体から外方に突出した前記スプール軸の端部が螺合し、螺合方向の回転によって前記スプール軸を外方に引っ張るドラグ調整部材と、
前記ドラグ調整部材を前記第２カム部材に対して軸方向に抜け止めする抜け止め部材と、
前記リール本体と前記スプールとの間に配置され、前記スプールを軸方向内方に付勢する付勢部材と、
前記スプールの外方に固定された第１制動部材と、
前記第１制動部材が接触可能に配置され、軸方向移動不能かつ前記スプールの糸繰り出し方向への回転不能に前記スプール軸に装着され、前記ドラグ操作部材の揺動又は前記ドラグ調整部材の回転に伴って前記第１制動部材との接触摩擦を変更し前記スプールへの制動力を可変とする第２制動部材と、
を備えた両軸受リールのドラグ機構。
【請求項２】
前記第１カム部材は、前記ドラグ操作部材の内周部に固定されたカムピンである、請求項１に記載の両軸受リールのドラグ調整機構。
【請求項３】
前記第１カム部材は、前記ドラグ操作部材の内周部に固定された傾斜面を有する傾斜カムである、請求項１に記載の両軸受リールのドラグ調整機構。
【請求項４】
前記ドラグ調整部材は、内周側に形成された第１係止部をさらに有し、
前記第２カム部材は、外周側に形成され、前記第１係止部とともに軸方向外方から前記抜け止め部材に係止される第２係止部をさらに有している、請求項１から３のいずれか１項に記載の両軸受リールのドラグ調整機構。
【請求項５】
前記抜け止め部材は、環状の止め輪部材である、請求項４に記載の両軸受リールのドラグ機構。
【請求項６】
前記ドラグ調整部材は、先端部外周側が他の部分より凹んで形成された段差部をさらに有している、請求項１から５のいずれか１項に記載の両軸受リールのドラグ調整機構。
【発明の詳細な説明】
【技術分野】
【０００１】
本発明は、両軸受リールのドラグ機構、特に、両軸受リールのリール本体に軸方向移動不能かつ相対回転不能に支持されたスプール軸に軸方向移動不能かつ相対回転可能に装着されたスプールの糸繰り出し方向への回転に加えられる制動力を可変とする両軸受リールのドラグ機構に関する。
【背景技術】
【０００２】
一般に、両軸受リールとして、レバー状のドラグ操作部材によりスプール軸を軸方向に移動させてスプールを制動するレバードラグ型の両軸受リールが知られている。この両軸受リールは、１対の側板及び側カバーを有するリール本体と、リール本体に軸方向移動自在に支持されたスプール軸と、スプール軸に回転自在に支持されたスプールと、スプールを制動するドラグ機構と、ハンドルの回転によりスプールを回転させるための回転伝達機構とを備えている。
【０００３】
スプールは、スプール軸とともに軸方向に移動可能であり、外周に釣り糸が巻き付けられる糸巻胴部と、糸巻胴部の両端に径方向外方に突出して設けられたフランジ部とを有している。ドラグ機構は、スプールのフランジ部の一端外側面に設けられた第１制動部材と、第１制動部材に圧接可能な第２制動部材と、スプール軸を軸方向に移動させるスプール軸移動機構とを備えている。第２制動部材は、スプール軸に回転自在に支持されており、第２制動部材にはハンドルからの回転が回転伝達機構を介して伝達される。スプール軸移動機構は、リール本体に揺動自在に支持されたレバー状のドラグ操作部材と、スプール軸の一端に固定されたキャップ状のドラグ調整部材と、ドラグ操作部材とドラグ調整部材との間に配置されリール本体に回転不能に装着されたカム部材とを有している。カム部材には傾斜カムが形成されており、ドラグ操作部材を揺動させることでドラグ操作部材が傾斜カムに乗り上げ、カム部材がドラグ調整部材を押圧してスプール軸を軸方向の一方に移動させる。スプール軸の他方側への移動は、たとえば第１制動部材と第２制動部材との間に配置されたばね部材の付勢力により行われる。
【０００４】
このような両軸受リールでは、ハンドルの回転による駆動力が、回転伝達機構を介してドラグ機構の第１制動部材に伝達され、第１制動部材と第２制動部材との圧接によりスプールに伝達される。このような構成では、ドラグ機構の制動力の調整は、スプール軸の一端に装着されたドラグ操作部材を一方向に揺動させることにより行われる。ドラグ操作部材を一方向に揺動させるとカム部材によりスプール軸が軸方向の一方に移動し、スプールがドラグ機構に接近し、第１制動部材が第２制動部材に圧接される。このような両軸受リールでは、ドラグ操作部材の操作により、ドラグ機構の制動力を調整するとともに、第１制動部材と第２制動部材とを離反させてスプールを自由回転状態にする。
【０００５】
このようなドラグ機構を有する両軸受リールは、カム部材はリール本体に回転不能に装着され、ドラグ調整部材がカム部材を押圧可能かつ回転可能にスプール軸に装着されている。（たとえば、特許文献１参照）。この両軸受リールにおいて、ドラグ機構を組み立てるには、リール本体にドラグ操作部材を回転可能に装着し、カム部材をリール本体に回転不能に装着する。次に、ドラグ調整部材を、スプール軸の先端に螺合させて、カム部材を押圧している。
【特許文献１】特開昭６３−１６７７３０号公報
【発明の開示】
【発明が解決しようとする課題】
【０００６】
前記従来の両軸受リールのドラグ機構は、ドラグ操作部材の操作位置に対するドラグ機構の制動特性を変更するために、傾斜角の異なる別のカム部材と交換することが考えられる。傾斜角の異なる別のカム部材と交換するには、まず、ドラグ調整部材をスプール軸から取り外し、さらにカム部材を取り外す必要が生じる。このようにカム部材を取り外すには、非常に手間が掛かり、カム部材の着脱が困難になるおそれがある。
【０００７】
本発明の課題は、両軸受リールのドラグ機構において、カム部材の着脱を容易に行えるようにすることにある。
【課題を解決するための手段】
【０００８】
発明１に係る両軸受リールのドラグ機構は、両軸受リールのリール本体に軸方向移動可能かつ相対回転不能に支持されたスプール軸に軸方向移動不能かつ相対回転可能に装着されたスプールの糸繰り出し方向への回転に加えられる制動力を可変とする両軸受リールのドラグ機構であって、リール本体に揺動自在に装着されたドラグ操作部材と、ドラグ操作部材の内周部に設けられた第１カム部材と、第１カム部材に接触可能な傾斜面を有する傾斜カムであって第１カム部材の揺動に応じて軸方向に移動可能かつスプール軸に対して回転不能な第２カム部材と、第２カム部材に相対回転可能に装着されリール本体から外方に突出したスプール軸の端部が螺合し螺合方向の回転によってスプール軸を外方に引っ張るドラグ調整部材と、ドラグ調整部材を第２カム部材に対して軸方向に抜け止めする抜け止め部材と、リール本体とスプールとの間に配置されスプールを軸方向内方に付勢する付勢部材と、スプールの外方に固定された第１制動部材と、第１制動部材が接触可能に配置され軸方向移動不能かつスプールの糸繰り出し方向への回転不能にスプール軸に装着されドラグ操作部材の揺動又はドラグ調整部材の回転に伴って第１制動部材との接触摩擦を変更しスプールへの制動力を可変とする第２制動部材とを備えている。
【０００９】
この両軸受リールのドラグ機構では、ドラグ調整部材を第２カム部材に対して軸方向に抜け止めする抜け止め部材が設けられているので、傾斜角の異なる別の第２カム部材と交換するときに、ドラグ調整部材とともに第２カム部材を取り外すことができる。したがって、第２カム部材の着脱を容易に行える。
【００１０】
発明２に係る両軸受リールのドラグ機構は、発明１のドラグ機構において、第１カム部材は、ドラグ操作部材の内周部に固定されたカムピンである。この場合、第１カム部材としてカムピンを用いることにより、容易かつ安価にカム構造を形成できる。
【００１１】
発明３に係る両軸受リールのドラグ機構は、発明１のドラグ機構において、第１カム部材は、ドラグ操作部材の内周部に固定された傾斜面を有する傾斜カムである。この場合、第１カム部材及び第２カム部材の両方に傾斜カムを形成することにより、傾斜角の異なる別の第１カム部材及び第２カム部材に交換することで、より多様な設定変更が可能なカム構造を形成できる。
【００１２】
発明４に係る両軸受リールのドラグ機構は、発明１から３のいずれかのドラグ機構において、ドラグ調整部材は、内周側に形成された第１係止部をさらに有している。第２カム部材は、外周側に形成され、第１係止部とともに軸方向外方から抜け止め部材に係止される第２係止部をさらに有している。この場合、たとえば内外周にそれぞれ突出して形成された突起からなる第１係止部及び第２係止部に抜け止め部材を係止することにより、ドラグ調整部材と第２カム部材との結合が確実になる。
【００１３】
発明５に係る両軸受リールのドラグ機構は、発明４のドラグ機構において、抜け止め部材は、環状の止め輪部材である。この場合、たとえばＣ形止め輪等の環状の止め輪部材を用いることにより、抜け止め部材を安価に構成できる。
【００１４】
発明６に係る両軸受リールのドラグ機構は、発明１から５のいずれかのドラグ機構において、ドラグ調整部材は、先端部外周側が他の部分より凹んで形成された段差部をさらに有している。この場合、外周の一部が凹んだ段差部を摘むことにより、ドラグ調整部材の着脱が容易になる。
【発明の効果】
【００１５】
本発明によれば、両軸受リールのドラグ機構において、ドラグ調整部材を第２カム部材に対して軸方向に抜け止めする抜け止め部材が設けられているので、第２カム部材の着脱を容易に行える。
【発明を実施するための最良の形態】
【００１６】
本発明の一実施形態による両軸受リールは、図１及び図２に示すように、中型のレバードラグ型のものであり、リール本体１と、リール本体１の側方に揺動自在に配置されたドラグ操作部材２と、ドラグ操作部材２の下方でリール本体１に回転自在に支持されたハンドル３と、リール本体１の内部に配置されたスプール４とを備えている。
【００１７】
リール本体１は、フレーム１０と、フレーム１０を両側方を覆う第１側カバー１３ａ及び第２側カバー１３ｂとを有している。フレーム１０は、左右１対の第１側板１１ａ及び第２側板１１ｂと、第１側板１１ａ及び第２側板１１ｂを連結する複数の連結部材１２とを有している。第１側板１１ａ及び第２側板１１ｂは側面視略円形の部材であり、第２側板１１ｂの径は第１側板１１ａの径より大径になるように形成されている。たとえば第２側板１１ｂの径は、第１側板１１ａの径の１１０％以上１４０％以下の範囲であり、この実施形態では第１側板１１ａの径の１１０％〜１２０％となっている。複数の連結部材１２は、第１側板１１ａ及び第２側板１１ｂと一体成形されており、下側の連結部材１２は、図１及び図２に示すように、リールを釣竿に装着するための前後に長い金属製の竿装着脚部９が固定されている。
【００１８】
第１側カバー１３ａは、図１及び図２に示すように、第１側板１１ａの側方に装着される側面視略円形の部材である。第２側カバー１３ｂは、第２側板１１ｂの側方に装着される円筒部１４と、円筒部１４の軸方向外方（図２右側）に突出する膨出部１５とを有している。第１側カバー１３ａ及び第２側カバー１３ｂは、それぞれ第１側板１１ａ及び第２側板１１ｂと略同径の側面視略円形の部材であり、第２側カバー１３ｂの径は第１側カバー１３ａの径より大径になるように形成されている。たとえば第２側カバー１３ｂの径は、第１側カバー１３ａの径の１１０％以上１４０％以下の範囲であり、本実施形態では第１側カバー１３ａの径の１１０％〜１２０％となっている。
【００１９】
円筒部１４は、図１及び図２に示すように、第２側板１１ｂの側方に装着される側面視略円形の筒状部材である。膨出部１５は、円筒部１４と一体成形され、内部に円筒部１４と連通する空間を有するように軸方向外方（図２右側）に突出して形成されている。膨出部１５は、側面視略卵形状の部材であり、下部の略半円形部分が円筒部１４より下方に突出するように形成されている。膨出部１５には、ドラグ操作部材２及びハンドル３が外方に露出するように装着されている。
【００２０】
膨出部１５のドラグ操作部材２の下方には、図１及び図２に示すように、ハンドル３装着用の突出筒１６が外方に突出して形成されている。突出筒１６の内部には、図２に示すように、スプール４の回転軸であるスプール軸５に平行にハンドル軸３１が配置されている。ハンドル軸３１は、図２に示すように、突出筒１６の両端に配置された２つの軸受３２、３３により突出筒１６に回転自在に支持されている。軸受３２、３３の間にはローラ型の第１ワンウェイクラッチ６２が配置されている。第１ワンウェイクラッチ６２は、ハンドル軸３１の糸巻き取り方向の回転だけを許容する。また、ハンドル軸３１の基端には、爪式の第２ワンウェイクラッチ６３も配置されている。この第２ワンウェイクラッチ６３も、ハンドル軸３１の糸巻き取り方向の回転だけを許容する。
【００２１】
ハンドル３は、図２に示すように、ハンドル軸３１の先端に固定されている。ハンドル３は、ハンドル軸３１の先端に固定されたハンドルアーム４０と、ハンドルアーム４０の先端に回動自在に支持されたハンドル把手４１とを備えている。ハンドルアーム４０は、ねじ部材４２によりハンドル軸３１の先端にハンドル軸３１相対回転不能に固定されている。ハンドル把手４１は、力を入れて握りやすくするために、外形が丸みを帯びた略Ｔ字形状になるように形成されている。
【００２２】
スプール４は、図２に示すように、筒状の糸巻胴部４ａと、糸巻胴部４ａの両側に形成され糸巻胴部４ａより大径の第１フランジ部４ｂ及び第２フランジ部４ｃとを有している。スプール４は軸受２０ａ、２０ｂによりスプール軸５に回転自在に支持されている。また、スプール４のハンドル３側には、スプール４を制動するドラグ機構６が設けられている。
【００２３】
第２フランジ部４ｃは、図２に示すように、第１フランジ部４ｂより大径となるように形成されている。第２フランジ部４ｃは、図５に拡大して示すように、糸巻胴部４ａ側がドラグ機構６を構成する後述する第１制動部材２５より小径となるように形成された円筒状の小径部４ｄと、最外周側が第１制動部材２５より大径となるように形成された円筒状の大径部４ｅとを有している。小径部４ｄは、大径部４ｅより小径になるように大径部４ｅと一体成形され、大径部４ｅと糸巻胴部４ａの端部との間に段差を生成するように設けられている。ここでは、糸巻胴部４ａの外周に釣り糸を巻き付けていくが、小径部４ｄの段差により小径部４ｄの最外径まで釣り糸を巻き付けることが可能である。また、第２側板１１ｂは、大径部４ｅと小径部４ｄとの間を覆うように配置されており、その先端部は小径部４ｄに近接するように径方向内方に延びている。このため、小径部４ｄより外周に釣り糸が巻き付けられるのを防止できるとともに、釣り糸が軸方向外方へ移動するのを規制できる。
【００２４】
小径部４ｄの径は、図２に示すように、第１フランジ部４ｂの径と略同径になるように形成されている。大径部４ｅの径は、小径部４ｄの径の１１０％以上１４０％以下の範囲であり、本実施形態では小径部４ｄの径の１２０％〜１３０％となっている。また、大径部４ｅの径は、第１側板１１ａ及び第１側カバー１３ａの径と略同径になるように形成されている。また、第１制動部材２５の径は、小径部４ｄの径の９０％以上の範囲であり、本実施形態では小径部４ｄの径の１３０％〜１４０％となっている。また、糸巻胴部４ａの外径は、小径部４ｄの径の３０％〜４０％となっている。
【００２５】
ドラグ機構６は、図２に示すように、スプール軸５に装着されたスプール４の糸繰り出し方向への回転に加えられる制動力を変更、調整するためのものである。ドラグ機構６は、図３に示すように、ドラグ操作部材２と、ドラグ操作部材２の内周部に設けられた第１カム部材２１と、第１カム部材２１に接触して配置された第２カム部材２２と、第２カム部材２２に相対回転可能に装着されスプール軸５を外方（図２右側）に引っ張るドラグ調整部材２７と、ドラグ調整部材２７を第２カム部材２２に対して軸方向に抜け止めする抜け止め部材２３と、スプール４を軸方向内方に付勢する第１付勢部材２４ａ（図２参照）及び第２付勢部材２４ｂと、ドラグ調整部材２７を軸方向外方（図２右側）に付勢する第３付勢部材２４ｃと、スプール４の軸方向外方（図２右側）に固定された第１制動部材２５と、第１制動部材２５が接触可能に配置された第２制動部材２６とを有している。なお、図２及び図４では、スプール軸５の上半分が最大ドラグ作動時の軸方向位置を示し、下半分がドラグ力減少位置を示している。
【００２６】
ドラグ操作部材２は、図３に示すように、中心部に形成されたボス部２ａが第２側カバー１３ｂに回転自在に支持され、そこから径方向外方に延びるレバー部２ｂが第２側カバー１３ｂに周方向の複数箇所で係止されるように構成されている。また、図４に示すように、ボス部２ａの内周部には、第１カム部材２１を装着するための取付部材２ｃが相対回転不能に固定されている。
【００２７】
第１カム部材２１は、図４に示すように、ドラグ操作部材２の取付部材２ｃの複数箇所に固定された棒状のカムピンである。第２カム部材２２は、第１カム部材２１に接触して配置され、第１カム部材２１の揺動に応じて軸方向に移動可能かつスプール軸５に対して回転不能な筒状部材である。第２カム部材２２は、第１カム部材２１との接触面が傾斜する傾斜面を有する傾斜カムである。第２カム部材２２の内周部は、スプール軸５に対して回転不能に装着されている。第２カム部材２２は、抜け止め部材２３により、ドラグ調整部材２７に対して軸方向に抜け止めされている。
【００２８】
第２カム部材２２は、ドラグ操作部材２の図２反時計回りの揺動により図４上側の軸方向左側に移動しドラグ力が弱くなる。また、ドラグ操作部材２を図２時計回りに揺動させると図４下側の軸方向右側に移動しドラグ力が強くなる。
【００２９】
抜け止め部材２３は、図４に示すように、たとえば弾性を有する合成樹脂製のＣ形止め輪である。抜け止め部材２３は、第２カム部材２２の外周面とドラグ調整部材２７の内周面とに接触するように配置され、Ｃ形止め輪が外方に広がろうとする力により両部材を連結している。
【００３０】
ドラグ調整部材２７は、図４に示すように、有底筒状のキャップ部材であり、第２カム部材２２に相対回転可能に装着され、第２側カバー１３ｂから外方に突出したスプール軸５の端部が螺合し、螺合方向の回転によってスプール軸５を軸方向外方（図４右側）に引っ張る部材である。ドラグ調整部材２７の内周部には、雌ねじ部２７ａが形成されており、スプール軸５の端部に形成された雄ねじ部５ａが螺合している。ドラグ調整部材２７の内周部と、第２カム部材２２内周部の軸方向端面との間には、コイルばねからなる第３付勢部材２４ｃが装着されており、ドラグ調整部材２７を常に外方に付勢している。ドラグ調整部材２７の先端部外周部には、他の部分より凹んだ段差部２７ｂが周方向に沿って溝状に形成されている。ドラグ調整部材２７を着脱するときに段差部２７ｂを摘んで軸方向外方（図４右側）に引っ張ることにより、ドラグ調整部材２７の着脱が容易になる。
【００３１】
ドラグ調整部材２７は、反時計回りの回動により図４上側の軸方向左側に少しだけ移動しドラグ力が僅かに弱くなる。また、ドラグ調整部材２７を時計回りに回動させると図４下側の軸方向右側に少しだけ移動しドラグ力が僅かに強くなる。
【００３２】
スプール軸５は、図２に示すように、リール本体１に軸方向移動可能かつ相対回転不能に支持された軸部材である。スプール軸５の外周には、スプール４を回転自在に装着するための軸受２０ａ、２０ｂと、後述する第２制動部材２６を回転可能に支持するための軸受２０ｃが装着されている。軸受２０ａ、２０ｂの間のスプール軸５外周には、図２及び図３に示すように、スプール４を軸方向内方（図２左側）に付勢するコイルばねからなる第２付勢部材２４ｂが装着されている。また、軸受２０ａの軸方向内方（図２左側）のスプール軸５外周には、図２に示すように、スプール４を軸方向内方（図２左側）に付勢するコイルばねからなる第１付勢部材２４ａが装着されている。第１付勢部材２４ａは、第２付勢部材２４ｂに比して付勢力が強くなっている。このため、スプール軸５が軸方向に移動すると、まず第１付勢部材２４ａが作用し、次に第２付勢部材２４ｂが作用するようになっている。
【００３３】
また、第１側カバー１３ａの内周部には軸受２０ｄが装着されており、スプール軸５外周に装着されたピニオンギア６１の外周部を支持している。ピニオンギア６１は、図２に示すように、ハンドル軸３１の他端に固定されたメインギア６０と噛み合っている。ピニオンギア６１の先端部は後述する第２制動部材２６の内周側に固定されている。この結果、ハンドル３からの回転はメインギア６０、ピニオンギア６１、第２制動部材２６を介して第１制動部材２５に伝達され、第１制動部材２５からスプール４に伝達され、スプール４が回転する。
【００３４】
第１制動部材２５は、図２及び図３に示すように、第２側板１１ｂの内部において、スプール４の軸方向外方（図２右側）に固定される環状部材である。第１制動部材２５は、スプール４の糸巻き可能径である第２フランジ部４ｃの小径部４ｄより大径になるように形成されている。
【００３５】
第２制動部材２６は、第１制動部材２５が接触可能に配置され、軸方向移動不能かつスプール４の糸繰り出し方向への回転不能にスプール軸５に装着されている。第２制動部材２６は、第１制動部材２５よりやや小径であり、スプール軸５に軸受２０ｃにより回転自在に支持されている。第２制動部材２６は、ピニオンギア６１に内周面で噛み合っている。また、第２制動部材２６は、ピニオンギア６１、軸受２０ｄを介して、リール本体１により軸方向外方（図２右側）への移動が規制されている。
【００３６】
第１制動部材２５及び第２制動部材２６は、図５に拡大して示すように、対向面に互いに圧接可能に装着された略同径のドーナツ状の第１摺動ディスク２５ａ及び第２摺動ディスク２６ａをそれぞれ有している。第１摺動ディスク２５ａ及び第２摺動ディスク２６ａは、複数のねじ部材５１、５２により、それぞれスプール４の第１制動部材２５及び第２制動部材２６に固定されている。第１摺動ディスク２５ａは、たとえばカーボン繊維の織布にフェノール樹脂等の耐熱樹脂を含浸させた繊維強化樹脂等の耐熱合成樹脂製である。第２摺動ディスク２６ａは、たとえばステンレス等の耐熱耐食金属製である。
【００３７】
また、第２フランジ部４ｃの大径部４ｅの軸方向外方（図２右側）の先端部には、第１制動部材２５及び第２制動部材２６を覆うカバー円板２８が回転不能に連結されている。カバー円板２８は、第２制動部材２６の軸方向外方（図２右側）側全体を覆うようにスプール軸５方向に伸びる円盤状部材である。カバー円板２８は、第２フランジ部４ｃの大径部４ｅの先端部にねじ部材５３により固定されている。また、カバー円板２８と第２制動部材２６との間には、第２制動部材２６の外周部においてＯリング２９が封止されている。
【００３８】
このように構成された両軸受リールにおいて、仕掛けを下ろす際には、ドラグ操作部材２を操作してスプール４とドラグ機構６とを離脱状態にする。この結果、スプール４は自由回転状態になり、仕掛けの自重で釣り糸が繰り出される。
【００３９】
仕掛けが所定の水深に到達した後、ドラグ操作部材２を操作してスプール４とドラグ機構６とを係合状態にする。スプール４とドラグ機構６とを係合状態にすると、ハンドル３からの回転はメインギア６０、ピニオンギア６１、ドラグ機構６を介して、スプール４に伝達され、スプール４がハンドル３により回転可能になる。この状態で仕掛けに魚がヒットすると魚の引きによりスプール４が糸繰り出し方向に回転しようとする。
【００４０】
このとき、ドラグ操作部材２の操作により設定された所定のドラク力で釣り糸が繰り出されるようにする。ここで、ドラグ操作部材２を図２時計回りに揺動させると、第１カム部材２１が第２カム部材２２を軸方向外方（図２右側）に移動させ、これによりスプール軸５が軸方向外方（図２右側）に移動する。スプール軸５が軸方向外方（図２右側）に移動すると、スプール４も軸方向外方（図２右側）に移動し、スプール４外方に固定された第１制動部材２５が第２制動部材２６方向に移動し、第１制動部材２５と第２制動部材２６とが強く圧接しドラグ力が大きくなる。一方、ドラグ操作部材２を図２反時計回りに揺動させると、第１付勢部材２４ａ及び第２付勢部材２４ｂによりスプール軸５が軸方向内方（図２左側）に戻され、第１制動部材２５が第２制動部材２６から離反し、第１制動部材２５及び第２制動部材２６の圧接力が弱くなってドラグ力が弱くなる。
【００４１】
また、ドラグ機構６のドラグ力を微調整したいときは、ドラグ調整部材２７を回動させる。ドラグ調整部材２７を時計回りに回動させると、スプール軸５が軸方向外方（図２右側）に少しだけ移動し、第１制動部材２５と第２制動部材２６との圧接力が少しだけ増加し、このためドラグ力が僅かに強くなる。一方、ドラグ調整部材２７を反時計回りに回動させると、スプール軸５が軸方向内方（図２左側）に少しだけ移動し、第１制動部材２５と第２制動部材２６との圧接力が少しだけ減少し、このためドラグ力が僅かに弱くなる。
【００４２】
この種のドラグ機構６では、ドラグ操作部材２の操作位置に対する制動特性を変更するために、第２カム部材２２を傾斜角の異なる別の第２カム部材と交換することがある。ここで、第２カム部材２２を交換するには、第２カム部材２２が抜け止め部材２３により一体となったドラグ調整部材２７をスプール軸５から取り外すことにより、ドラグ調整部材２７とともに第２カム部材２２を取り外すことができる
このような両軸受リールのドラグ機構６では、ドラグ調整部材２を第２カム部材２２に対して軸方向に抜け止めする抜け止め部材２３が設けられている。このため、傾斜角の異なる別の第２カム部材と交換するときに、ドラグ調整部材２７とともに第２カム部材２２を取り外すことができるので、第２カム部材２２の着脱を容易に行うことができる。
【００４３】
〔他の実施形態〕
（ａ）  前記実施形態では、中型の両軸受リールを採用したが、リールの大きさや形状はこれに限定されるものではない。たとえば、大型の両軸受リールの場合、リール本体１の上部に連結部材１２を設けた構成にしてもよい。
【００４４】
（ｂ）  前記実施形態では、ドラグ機構６には、外部から操作可能な操作部材としてドラグ操作部材２及びドラグ調整部材２７のみが設けられていたが、たとえばドラグ機構６をロック、ロック解除するための操作部材等を別に設けてもよい。
【００４５】
（ｃ）  前記実施形態では、第１カム部材２１は、第２カム部材２２の傾斜面に接触可能なカムピンであったが、図６に示すように、第２カム部材２２の傾斜面に接触可能な傾斜カムであってもよい。なお、図６に示す実施形態では、ドラグ操作部材２の内周に固定された取付部材２ｃに傾斜面を形成しているが、ドラグ操作部材２と取付部材２ｃとを一体成形し、ドラグ操作部材２に傾斜面を形成する構成にしてもよい。この場合、第１カム部材２１及び第２カム部材２２の両部材を傾斜カムにすることにより、傾斜角の異なる別の第１カム部材２１及び第２カム部材２２に交換することで、より多様な設定変更が可能なカム構造を形成できる。
【図面の簡単な説明】
【００４６】
【図１】本発明の一実施形態による両軸受リールの斜視図。
【図２】前記両軸受リールの断面図。
【図３】ドラグ機構の拡大断面図。
【図４】ドラグ調整部材周辺の拡大断面図。
【図５】第１制動部材周辺の拡大断面図。
【図６】他の実施形態の図３に相当する図。
【符号の説明】
【００４７】
１  リール本体
２  ドラグ操作部材
２ａ  ボス部
２ｂ  レバー部
２ｃ  取付部材
３  ハンドル
４  スプール
４ａ  糸巻胴部
４ｂ  第１フランジ部
４ｃ  第２フランジ部
４ｄ  小径部
４ｅ  大径部
５  スプール軸
５ａ  雄ねじ部
６  ドラグ機構
１０  フレーム
１１ａ  第１側板
１１ｂ  第２側板
１２  連結部材
１３ａ  第１側カバー
１３ｂ  第２側カバー
１４  円筒部
１５  膨出部
１６  突出筒
２０ａ、２０ｂ、２０ｃ、２０ｄ  軸受
２１  第１カム部材
２２  第２カム部材
２３  抜け止め部材
２４ａ  第１付勢部材
２４ｂ  第２付勢部材
２４ｃ  第３付勢部材
２５  第１制動部材
２５ａ  第１摺動ディスク
２６  第２制動部材
２６ａ  第２摺動ディスク
２７  ドラグ調整部材
２７ａ  雌ねじ部
２７ｂ  段差部
２８  カバー円板
２９  Ｏリング
３１  ハンドル軸
３２、３３  軸受
４０  ハンドルアーム
４１  ハンドル把手
４２、５１、５２、５３  ねじ部材
６０  メインギア
６１  ピニオンギア
６２  第１ワンウェイクラッチ
６３  第２ワンウェイクラッチ
【図１】
2005318864.tif 000003
【図２】
2005318864.tif 000004
【図３】
2005318864.tif 000005
【図４】
2005318864.tif 000006
【図５】
2005318864.tif 000007
【図６】
2005318864.tif 000008